(57)【要約】      （修正有）【課題】各カテーテルを取り外すことなく、吸引具での吸引、電動の吸引器での吸引どちらも可能なコネクタ、ドレナージ装置、ドレナージ装置の使用方法を提供する。【解決手段】流体を通す複数のカテーテルの端部を接続するカテーテル用のコネクタ１であって、コネクタは、主管２内、第一分岐管１０内、第二分岐管２０内にはそれぞれ流路が形成されており、かつ、これらの各流路が連通し、第一分岐管及び第二分岐管が前記コネクタの主管から斜め方向に分岐し、第一分岐管の自由端部１０ａ及び第二分岐管の自由端部２０ａに着脱自在の閉塞具１５、１６を備えたことを特徴とする。【選択図】図１
2020185200.tif 000002
【特許請求の範囲】
【請求項１】
流体を通すカテーテル及び複数のチューブの端部を接続するコネクタであって、
前記コネクタは、主管、第一分岐管、第二分岐管と、からなり、
前記主管内、前記第一分岐管内、前記第二分岐管内にはそれぞれ流路が形成されており、かつ、これらの各流路が連通し、
前記第一分岐管及び前記第二分岐管が前記コネクタの前記主管から斜め方向に分岐し、
前記第一分岐管の自由端部及び前記第二分岐管の自由端部に着脱自在の閉塞具を備えたことを特徴としたコネクタ。
【請求項２】
前記第一分岐管及び前記第二分岐管は、前記コネクタの前記主管の本体部の際に配置されたことを特徴とした、請求項１に記載のコネクタ。
【請求項３】
前記主管と前記第一分岐管及び前記第二分岐管との間の角度を２５度以上４５度以下としたことを特徴とした、請求項１又は請求項２に記載のコネクタ。
【請求項４】
前記第一分岐管の長手方向の長さと、前記第二分岐管の長手方向の長さとの比が、１対０．５から１までであることを特徴とした、請求項１乃至請求項３に記載のうちいずれか一に記載のコネクタ。
【請求項５】
前記第一分岐管の接続口の内径が前記主管の後端部の接続口の内径及び前記第二分岐管の接続口の内径よりも大きいことを特徴とした、請求項１乃至請求項４に記載のうちいずれか一に記載のコネクタ。
【請求項６】
前記第一分岐管の流路が自由端部から基端部に向かって収斂し、前記第二分岐管の流路が基端部から自由端部に向かって収斂することを特徴とした、請求項１乃至請求項５に記載のうちいずれか一に記載のコネクタ。
【請求項７】
前記主管には、円錐台状の突起部が大小複数個積層されたニップル部を備え、
前記突起部と前記突起部との間に一部空隙を設けることを特徴とした、請求項１乃至請求項６に記載のうちいずれか一に記載のコネクタ。
【請求項８】
患者の体内に挿入する胃管カテーテルと、後端部に排液バッグが取り付けられている排液チューブと、吸引具で排液を吸引するための吸引チューブと、請求項１乃至請求項７に記載のうちいずれか一に記載のコネクタと、を備えたドレナージ装置であって、
前記胃管カテーテルの後端部と前記コネクタの先端部が接続され、
前記コネクタの後端部と前記排液チューブの先端部が接続され、
前記第二分岐管の自由端部と前記吸引チューブの他端部が接続されたことを特徴としたドレナージ装置。
【請求項９】
請求項８に記載のドレナージ装置を用いたドレナージ装置の使用方法であって、
前記胃管カテーテルの途中に備える鉗子と、前記排液チューブの途中に備えるクランプと、前記第一分岐管と接続する吸引具と、を備え、
前記クランプを閉じることによって前記排液チューブを閉塞した状態で、前記吸引具で排液を吸引するステップと、
前記鉗子を閉じることによって前記胃管カテーテルを閉塞し、かつ、前記クランプを開くことによって前記排液チューブを開放した状態で前記吸引具に溜った排液を前記排液バッグへ排出するステップとからなるドレナージ装置の使用方法。
【請求項１０】
請求項８に記載のドレナージ装置を用いたドレナージ装置の使用方法であって、
前記吸引チューブの一端部と接続する吸引器と、を備え、
前記第一分岐管の接続口を前記閉塞具で閉塞し、かつ、前記クランプを閉じることによって前記排液チューブを閉塞した状態で、前記吸引器で排液を吸引するステップでなるドレナージ装置の使用方法。
【発明の詳細な説明】
【技術分野】
【０００１】
本発明は、患者の体内に貯留した排液を体外に排出するドレナージ用のコネクタ及びそれを用いたドレナージ装置、その使用方法に関する。
【背景技術】
【０００２】
胃管カテーテルを装着した患者の胃腔内に貯留した排液を吸引し、その排液を排液バッグに排出する排液処理が広く行われている。この患者の胃腔内の排液を取り去る手段としては、体腔の内圧等を利用した自然排出法によるものと、陰圧を発生する吸引器等を用いて持続的な吸引を行う吸引排出法とがある。この吸引排出法には、手動の注射器等の吸引具を用いて行う方法と、電動の吸引器を用いて行う場合に分けられる。
【０００３】
一般的な吸引排出法の排液処理の構成としては、患者に装着した胃管カテーテルをコネクタで分岐させ、一方は排液バックへ、もう一方は吸引具又は吸引器に連結されて排液の吸引処理が行われるが、このコネクタは二股のものが使用されている。従来例として、患者に装着した胃管カテーテルを分岐させる二股のコネクタである二連弁体剛性容器を使用し、かつ、吸引具を用いて体液吸引する考案として文献１がある。
【先行技術文献】
【特許文献】
【０００４】
文献１は、体液吸引排出装置に係る考案であり、その内容は、３個の筒状開口部を有する二連弁体部剛性容器の上記開口部の中の１個の開口部（Ａ）の内側に、外部より液体の流入を許容し、外部への流出を阻止する逆止弁を設けるとともに、他の１個の開口部（Ｂ）の内側には、外からの流体の流入を阻止し、内部からの流出を許容する逆止弁を設け、さらに他の１個の開口部（Ｃ）には注射筒のチップが気密に嵌合するアダプターを配してなる二連弁体剛性容器に注射筒を組込んだ吸引ポンプ組立体と、上記開口部（Ａ）に直接あるいは延長チューブを介して連結される留置針と、他の開口部（Ｂ）に排液輸送のための接続チューブとからなることを特徴とするものである。
【０００５】
【特許文献１】実開昭６２−８４４３５号公報
【発明の概要】
【発明が解決しようとする課題】
【０００６】
医療現場においては、排液の吸引に関し、注射器を用いて胃腔内へ洗浄剤等を注入した後、胃腔内の排液の吸引排出を行う他、吸引器を用いて胃腔内の排液の吸引を行うことがあり、吸引具と吸引器を適宜選択して使用することがある。例えば、吸引器で排液を吸引した後に注射器で排液を吸引するような場合は、上記二連弁体剛性容器のような二股のものを利用すると、吸引するための開口部（Ｃ）が一つしかないため、吸引器に接続したカテーテルをコネクタの接続口から外し、替りに注射器をコネクタの接続口に接続して吸引することとなるが、カテーテルを外した際に吸引器に接続したそのカテーテルから垂れ落ちる排液によって周辺が汚染される場合も考えられる。
【課題を解決するための手段】
【０００７】
そこで、本発明の目的は、各カテーテルを取り外すことなく、吸引具での吸引、電動の吸引器での吸引どちらも可能なコネクタ、ドレナージ装置、ドレナージ装置の使用方法を提供する。
【０００８】
請求項１の発明は、流体を通す複数のカテーテルの端部を接続するカテーテル用のコネクタであって、コネクタは、主管、第一分岐管、第二分岐管と、からなり、主管内、第一分岐管内、第二分岐管内にはそれぞれ流路が形成されており、かつ、これらの各流路が連通し、第一分岐管及び第二分岐管がコネクタの前記主管から斜め方向に分岐し、第一分岐管の自由端部及び第二分岐管の自由端部に着脱自在の閉塞具を備えたことを特徴としたコネクタである。
【０００９】
請求項２の発明は、第一分岐管及び第二分岐管は、コネクタの主管の本体部の際に配置されたことを特徴とした、請求項１に記載のコネクタである。
【００１０】
請求項３の発明は、主管と第一分岐管及び第二分岐管との間の角度を２５度以上４５度以下としたことを特徴とした、請求項１又は請求項２に記載のコネクタである。
【００１１】
請求項４の発明は、第一分岐管の長手方向の長さと、第二分岐管の長手方向の長さとの比が、１対０．５から１までであることを特徴とした、請求項１乃至請求項３に記載のうちいずれか一に記載のコネクタである。
【００１２】
請求項５の発明は、第一分岐管の接続口の内径が主管の後端部の接続口の内径及び第二分岐管の接続口の内径よりも大きいことを特徴とした、請求項１乃至請求項４に記載のうちいずれか一に記載のコネクタである。
【００１３】
請求項６の発明は、第一分岐管の流路が自由端部から基端部に向かって収斂し、第二分岐管の流路が基端部から自由端部に向かって収斂することを特徴とした、請求項１乃至請求項５に記載のうちいずれか一に記載のコネクタである。
【００１４】
請求項７の発明は、主管には、円錐台状の突起部が大小複数個積層されたニップル部を備え、突起部と突起部との間に一部空隙を設けることを特徴とした、請求項１乃至請求項６に記載のうちいずれか一に記載のコネクタである。
【００１５】
請求項８の発明は、患者の体内に挿入する胃管カテーテルと、後端部に排液バッグが取り付けられている排液チューブと、吸引具で排液を吸引するための吸引チューブと、請求項１乃至請求項７に記載のうちいずれか一に記載のコネクタと、を備えたドレナージ装置であって、胃管カテーテルの後端部とコネクタの先端部が接続され、コネクタの後端部と排液チューブの先端部が接続され、第二分岐管の自由端部と吸引チューブの他端部が接続されたことを特徴としたドレナージ装置である。
【００１６】
請求項９の発明は、請求項８に記載のドレナージ装置を用いたドレナージ装置の使用方法であって、胃管カテーテルの途中に備える鉗子と、排液チューブの途中に備えるクランプと、第一分岐管と接続する吸引具と、を備え、クランプを閉じることによって排液チューブを閉塞した状態で、吸引具で排液を吸引するステップと、鉗子を閉じることによって胃管カテーテルを閉塞し、かつ、クランプを開くことによって排液チューブを開放した状態で吸引具に溜った排液を排液バッグへ排出するステップとからなるドレナージ装置の使用方法である。
【００１７】
請求項１０の発明は、請求項８に記載のドレナージ装置を用いたドレナージ装置の使用方法であって、吸引チューブの一端部と接続する吸引器と、を備え、第一分岐管の接続口を閉塞具で閉塞し、かつ、クランプを閉じることによって排液チューブを閉塞した状態で、吸引器で排液を吸引するステップでなるドレナージ装置の使用方法である。
【発明の効果】
【００１８】
本発明によれば、シンプルな構造で、患者から胃管カテーテルを外すことなく薬剤や洗浄剤等の注入や排液の吸引が可能となる。さらには、停電等により電源が確保できないため吸引器が使用できないような場合であっても、手動の吸引具を使用して排液を吸引することができるが、その際も、吸引器からのカテーテルを外すことなく吸引具で排液を吸引することができる。
【図面の簡単な説明】
【００１９】
【図１】図１（ａ）は、コネクタの平面図で、第一分岐管にネジ式キャップを用いた例であり、図１（ｂ）は、第一分岐管にスナップ式キャップを備えた他の例を図示したものである。
【図２】図２は、胃管カテーテルを図示したものである。
【図３】図３は、排液チューブに排液バッグが接続された状態の図示したものである。
【図４】図４は、患者の胃腔内に胃管カテーテルを挿入し、固定した状態の図である。
【図５】図５は、コネクタに複数のカテーテルの端部を接続した状態のドレナージ装置を図示したものである。
【図６】図６は、吸引具で洗浄剤等を押出した際の流体の流れを図示したものである。
【図７】図７は、吸引具で排液を吸引した際の流体の流れを図示したものである。
【図８】図８は、吸引具で排液を押出した際の吸引具から排液バッグまでの流体の流れを図示したものである。
【発明を実施するための形態】
【００２０】
以下、実施形態に基づき、本発明であるところの、流体を通す胃管カテーテル及び複数のチューブの端部を接続する胃管カテーテル及びチューブ用のコネクタ、これを用いたドレナージ装置、その使用方法について説明する。本発明の主な構成物品としては、コネクタ１、カテーテル、具体的には、胃管カテーテル３０、排液チューブ３５、吸引チューブ４０、鉗子９１、クランプ９２、排液バッグ７０、そして排液の吸引等を行う吸引具５０、吸引器６０等が挙げられる。
【００２１】
図２等で示す胃管カテーテル３０は、患者Ｐの胃や気管等の体内にその先端部３０ａを所定時間留め置き、体外から薬剤や洗浄剤等を送り込んだり、体内器官から排液等を吸引したりするために利用される中が空洞の細長い管を意味する。
【００２２】
胃管カテーテル３０は、患者Ｐの体内に直接挿入する管であるため、その先端部３０ａは丸みを帯びた形状としている。先端部３０ａ側には、薬剤や洗浄剤等の注入や排液の吸引等を行うための先端開孔３１、側孔３２を穿設しているが、先端開孔３１、側孔３２の数、位置、間隔は問わない。これら先端開孔３１、側孔３２により十分な流量を確保することができる。
【００２３】
胃管カテーテル３０は、患者Ｐの胃腔内に留置して安全な弾性のある材質であれば良く、例えば、塩化ビニル、シリコン、ポリウレタン、ポリブタジエン、ポリアミド、ラテックス、熱可塑性エラストマー、エチレンー酢酸ビニル共重合体等柔軟な材質が挙げられるが、体外である程度の硬度を保ち、体内では柔軟性がある性質をもつ塩化ビニルが好ましい。
【００２４】
胃管カテーテル３０の先端部３０ａから適宜の長さのところに目盛を表示することによって、挿入した深さを知ることができる。例えば、先端部３０ａから２５センチ、３０センチ、３５センチ、４５センチ、５５センチ、６５センチ、７５センチの箇所に目盛を表示することができる。
【００２５】
また、後述のように使用の際は、胃管カテーテル３０の途中には鉗子９１を備えるが、この鉗子９１は、閉じた状態で固定できるラチェット機構が備わり、また、開閉が容易で、かつ、安全であればどのような構成のものであってもよい。すなわち、鉗子９１を閉じることによって胃管カテーテル３０を閉塞して流体の流れを遮断することができればよいどのような構成でもよい。
【００２６】
胃管カテーテル３０の中は、洗浄剤、薬液、排液等の流体を流す流路のみの構造の他、流路と空気腔との二重構造であってもよい。また、胃管カテーテル３０の色は、透明、半透明等どのような色でもよく、一部着色（造影ライン等）してもよい。また、長さも問わない。
【００２７】
図１（ａ）等で示すコネクタ１は、患者Ｐに装着した胃管カテーテル３０を分岐させるためのもので、主な構成としては、主管２、この主管２の両翼から分岐する第一分岐管１０及び第二分岐管２０に分類することができる。主管２内、第一分岐管１０内、第二分岐管２０内は、薬剤や洗浄剤の注入や、排液を排出する等のための流路が形成されており、これらの各流路が連通している。主管２、第一分岐管１０、第二分岐管２０は、主に塩化ビニルで一体成形されているが、本発明の効果を奏することができれば塩化ビニル以外の素材であってもよい。
【００２８】
主管２は、多段円筒状に形成されており、先端１ａから後端１ｂにかけて、先端部３、ニップル部５、本体部８、後端部９から成る。
【００２９】
先端部３には胃管カテーテル３０を接続する接続口３ａを開口し、この接続口３ａの内径は、例えば、４〜６ミリ程度とする。また、先端部３の形状は略均一の円筒状であってもよく、また、その先端１ａ側の一部を円錐台形状としてもよい。先端１ａ側の一部を円錐台形状とすることによって胃管カテーテル３０が挿入し易くなる。
【００３０】
ニップル部５は、主管２の外周から膨出した円錐台状の突起部５ａが大小複数個積層されている。突起部５ａが積層された構成の場合、突起部５ａは同じ大きさであってもよく、また、異なる大きさであってもよい。したがって、各突起部５ａを先端部３側から後端部９側に行くにつれて徐々に大きくしてもよいし、同じとしてもよい。さらには、突起部５ａと突起部５ａとの間に突起部でない構造、一部空隙５ｂを設けてもよい。このような空隙５ｂを設けることによって、ニップル部５に胃管カテーテル３０を接続する際、胃管カテーテル３０の接続及び取り外しが容易となる。
【００３１】
本体部８及び後端部９は円筒状で形成されており、本体部８よりも小径の後端部９が本体部８に連設されている。
【００３２】
後端部９には排液チューブ３５を接続する接続口９ａを開口し、この接続口９ａの内径は、例えば、５〜７ミリ程度とする。
【００３３】
主管２の流路、すわなち、先端部３、ニップル部５、本体部８、後端部９にかけて排液が通過する流路の径は略同一であるが、略同一とせず、例えば、先端部３を小径として、ニップル部５、本体部８、後端部９にかけて徐々に広径とする構成、先端部３を広径として、ニップル部５、本体部８、後端部９にかけて徐々に小径とする構成であってもよい。
【００３４】
主管２の両翼から第一分岐管１０及び第二分岐管２０が斜め方向に分岐するため、ちょうど飛行機の主翼のような形となる。具体的には、第一分岐管１０がニップル部５との際の本体部８から後端部９側に向かって斜めに分岐し、第二分岐管２０が第一分岐管１０と反対側のニップル部５との際の本体部８から後端部９側に向かって斜めに分岐している。
【００３５】
第一分岐管１０及び第二分岐管２０の配置位置に関しては、ニップル部５の際が望ましいが、コネクタ１の主管２の本体部８であればどの位置に配置してもよい。したがって、例えば、本体部８の中腹、後端部９の際等であってもよい。このような配置位置とすることにより、コネクタ１と吸引チューブ４０、吸引具５０を接続する際、接続し易く、また、取り外し易くなる。
【００３６】
主管２と第一分岐管１０との間の角度は、略２５度以上略４５度以下とし、望ましくは略３０度から略３２度である。また、主管２と第二分岐管２０との間の角度は、略２５度以上略４５度以下とし、望ましくは略３９度から略４１度である。このような角度とすることにより、コネクタ１と排液チューブ３５、吸引チューブ４０、吸引具５０を接続する際、接続し易く、また、取り外し易くなる。
【００３７】
第一分岐管１０の長手方向の長さと、第二分岐管２０の長手方向の長さとの比は、１対０．５から１までとする。すなわち、第一分岐管１０よりも第二分岐管２０のほうが短い構成となっている。これにより、吸引具５０を安定して接続することができ、また、安定して注入及び吸引作業を行うことができる。但し、第一分岐管１０と第二分岐管２０は略同じ長さであってもよく、また、第一分岐管１０よりも第二分岐管２０のほうが長い構成であってもよい。ここで、第一分岐管１０の長手方向の長さは、第一分岐管１０の短手方向中心から計測する。また、第二分岐管２０の長手方向の長さは、第二分岐管２０の短手方向中心から計測する。
【００３８】
第一分岐管１０は、胃管カテーテル３０を装着した患者Ｐの胃腔内への薬剤や洗浄剤等の注入、胃腔内に貯留した排液を吸引し、その排液を排液バッグ７０に注入するための器具である注射器等の吸引具５０と接続するための部位である。
【００３９】
第一分岐管１０の自由端部１０ａ側には注射器等の吸引具５０と接続するための接続口１４を開口し、この接続口１４の内径は、例えば、７ミリから９ミリ程度とする。したがって、第一分岐管１０の接続口１４の内径は、主管２の後端部９の接続口９ａの内径よりも大きい。これにより、吸引具５０を安定して接続することができ、また、安定して注入及び吸引作業を行うことができる。但し、第一分岐管１０の接続口１４の内径が主管２の後端部９の接続口９ａの内径よりも小さくてもよく、また同程度でもよい。
【００４０】
第一分岐管１０の外径は、主管２の外径と略同じであってもよい。又は、相違してもよく、例えば、自由端部１０ａに行くにつれて広径としてもよい。換言すると、テーパー形状としてもよい。
【００４１】
吸引具５０の外筒５２の先端に備える凸部５５がテーパー状の場合、第一分岐管１０の内径は、基端部１０ｂから離間するに従って内径がテーパー状に拡開する拡開内径部とする構成が望ましい。すなわち、第一分岐管１０の流路が基端部１０ｂから自由端部１０ａに向かって拡開し、自由端部１０ａから基端部１０ｂに向かって収斂する。このような拡開内径部とすることによって、吸引具５０の凸部５５と第一分岐管１０の流路とが隙間なく嵌合され、効率的に薬剤の注入や排液の吸引等を行うことができる。
【００４２】
第一分岐管１０の長手方向の長さは、第一分岐管１０の短手方向中心から計測すると略２センチから略１０センチの間のうちで適宜選択するが、略４センチ位が望ましい。
【００４３】
また、図１（ａ）や図１（ｂ）で示すように、自由端部１０ａ側には着脱自在の閉塞具であるネジ式キャップ１５又はスナップ式キャップ１６を取り付けることによって接続口１４を閉塞又は開口することができる。
【００４４】
ネジ式キャップ１５を取り付ける場合の構成としては、自由端部１０ａ側に膨出部１１を備え、この膨出部１１の外周面に外ネジ山１２を螺設する。また、スナップ式キャップ１６を取り付ける場合の構成としては、膨出部１１の外周面にフランジ１３を備える。
ネジ式キャップ１５又はスナップ式キャップ１６は、キャップが落下や紛失しないように連結具１８を介して第一分岐管１０等に連結しておくのが望ましい。例えば、環状部１７を有する連結具１８をキャップに連設し、連結具１８の環状部１７を第一分岐管１０に挿通することによってキャップを第一分岐管１０等に連結する。
【００４５】
なお、第一分岐管１０に膨出部１１を設けることによって環状部１７が第一分岐管１０から外れにくくなるが、第一分岐管１０に膨出部１１を設けず、第一分岐管１０の外周面に直接外ネジ山１２を螺設してもよいし、フランジ１３を備えてもよい。
【００４６】
第二分岐管２０は、胃管カテーテル３０を装着した患者Ｐの胃腔内に貯留した排液を吸引し、その排液を排液バッグ７０に注入するための器具である吸引器６０と接続するための部位である。
【００４７】
第二分岐管２０の形状としては先細り形状、すなわち、基端部２０ｂから自由端部２０ａに向かって収斂している。また、流路も基端部２０ｂから自由端部２０ａに向かって収斂している。第二分岐管２０の内径は、自由端部２０ａから離間するに従って内径がテーパー状に拡開する拡開内径部とする構成が望ましい。したがって、第二分岐管２０の流路は、自由端部２０ａから基端部２０ｂに向かって拡開し、基端部２０ｂから自由端部２０ａに向かって収斂する。これにより、排液の急速な吸引を防止することができる。但し、本発明の効果を奏することができればストレートの円筒状であってもよい。
【００４８】
自由端部２０ａ側には吸引チューブ４０を接続する等のためのニップル部２５を形成している。このニップル部２５は円錐台形状の突起部２５ａが積層されており、ニップル部２５も基端部２０ｂ側から自由端部２０ａ側にかけて収斂している。なお、ニップル部２５がない構成であってもよい。
【００４９】
第二分岐管２０の長手方向の長さは、第二分岐管２０の短手方向中心から計測すると略２センチから略６センチの間のうちで適宜選択することができるが、略２センチから略３センチ位が望ましい。
【００５０】
第二分岐管２０の自由端部２０ａ側には吸引チューブ４０と接続するための接続口２２を開口し、この接続口２２の内径は、例えば、略０．５ミリ程度が望ましいが、略０．３から略１センチのうちで適宜選択することができる。
【００５１】
また、自由端部２０ａ側には第一分岐管１０と同様に着脱自在の閉塞具であるスナップ式キャップ１６を備えることによって接続口２２を閉塞又は開口することができる。なお、第一分岐管１０のようにネジ式キャップ１５を備える構成としてもよい。
【００５２】
コネクタ１の主管２の後端部９と接続する排液チューブ３５は、患者Ｐの体内からの排液を排液バッグ７０へ流入させるための管である（図３等参照）。排液チューブ３５内は、流路を形成し、胃管カテーテル３０と同様の材質で、色彩も問わないが、透明、半透明、透光性のある白色や乳白色等が望ましい。また、長さも問わない。
【００５３】
また、後述のように使用の際は、排液チューブ３５の途中にはクランプ９２を備えるが、このクランプ９２は開閉が容易で、安全であればどのような構成のものであってもよい。
【００５４】
排液チューブ３５の後端部３５ｂに取付けられている排液バッグ７０は、患者Ｐの体内からの排液等を体外へ取り出して一時的に溜めておくためのバッグである。
【００５５】
図３等で示す排液バッグ７０の構成としては、二枚のシートを合わせて、上方の胃管カテーテル３０が装着される箇所及び下方の排液チューブ７３が装着される箇所を除き、その周縁を熱圧着することによって排液バッグ本体７１が形成される。排液バッグ本体７１の表面には目盛が表記され、上端には保持具７２を備え、下端には排液チューブ７３を備えており、透明、半透明、透光性のある白色や乳白色等が望ましい。
【００５６】
排液バッグ７０のシートの材料、容量は、特に限定されず、排液料等に応じて、適宜選択することができる。例えば、排液バッグ本体７１をポリエチレン、ポリプロピレン等の可撓性の材料とすることが考えられる。このように、排液バッグ本体７１を可撓性の材料とすると、使用前（排液を溜める前）の排液バッグは、厚みが薄くほぼ平らになるため、使用前に内部の体積を小さくする（押し潰す）ことができ、収納、保管、運搬等に便利である。
【００５７】
また容量に関しては、３００ｍＬ、５００ｍＬ、７５０ｍＬ、８００ｍＬ、１Ｌ、２Ｌ、３Ｌ、５Ｌ等の容量のものを適宜使用することができる。
【００５８】
排液チューブ７３は、通常は排液バルブ７４によって閉塞した状態となり、排液バッグ７０から排液を排出させるときに開放する。排液チューブ７３や排液バルブ７４の構成は特に問わないが、例えば、排液チューブ７３を貫通する排液バルブ７４を左右方向にスライドさせることによって閉塞開放自在とする構成等が考えられる。
【００５９】
一般的に排液バッグ７０は、保持具７２を利用してベッドの柵、点滴スタンド、車椅子等に保持させて使用する。その他、患者Ｐの着衣の上からベルト器具等で保持してもよい。
【００６０】
吸引具５０は、薬剤や洗浄剤等の注入や排液の吸引等を行う器具である。すなわち、患者Ｐの胃腔内に薬剤を注入したり、または、洗浄剤を注入して胃腔内を洗浄し、その胃腔内を洗浄した排液を吸引し、吸引具５０に溜まった排液を押し出すことによって排液バッグ７０に注入するための器具である。
【００６１】
吸引具５０としては、一般的には円筒形の外筒５２の中側に可動式の押子５７が組み合わされた構造の注射器が用いられ、第一分岐管１０に接続することができればどのようなものでもよいため、従来から公知の注射器を好適に用いることができる。材質は、例えば、プラスチック製、ガラス製、金属製等が挙げられる。また、外筒５２の先端の凸部５５は、テーパー状であっても、円筒状であってもよい。なお、吸引具５０は注射器の他、薬剤の注入や排液の吸引等ができればどのような構造のものであってもよい。
【００６２】
吸引チューブ４０は、患者Ｐの体内からの排液を吸引器６０の吸引ボトル等へ流入させるための管である。吸引チューブ４０内は、流路を形成し、胃管カテーテル３０等と同様の材質で、色彩も問わないが、透明、半透明、透光性のある白色や乳白色等が望ましい。また、長さも問わない。
【００６３】
吸引器６０は、吸引チューブ４０、コネクタ１、胃管カテーテル３０等を介して、患者Ｐの胃腔内の排液を吸引し貯留する、主に電動の器具である。吸引器６０としては、様々な種類があるが、壁掛式、携帯可能な小型式等が挙げられ、従来から公知の吸引器６０を好適に用いることができる。
【００６４】
吸引器６０の吸引口６２に吸引チューブ４０の一端部４０ａを接続し、吸引チューブ４０の他端部４０ｂをコネクタ１の第二分岐管２０の接続口２２に接続することによって設置する。
【００６５】
本発明のドレナージ装置の使用方法の一例を説明する。
図４で示すステップ１は、主に、患者Ｐの胃腔内に胃管カテーテル３０を挿入し、固定するステップである。
【００６６】
まず、胃管カテーテル３０を患者Ｐの鼻から挿入して送り込み、最終的には胃管カテーテル３０の先端部３０ａを胃腔内へ到達させる。そして、胃管カテーテル３０の適所を患者Ｐにテープ留めすることによって胃管カテーテル３０を固定する。
【００６７】
なお、胃管カテーテル３０を挿入する前に、胃管カテーテル３０の患者Ｐに接触する部分に潤滑剤を塗布するのが望ましい。また、テープ留めする際は、胃管カテーテル３０でループ形状を形成し、その形状を保持した状態とするのが望ましい。
【００６８】
図５で示すステップ２は、主に、コネクタ１に複数のカテーテルを接続する等のステップである。なお、このステップ２の図５では、吸引具５０、吸引器６０を共に接続した状態を表しているが、使用に際しては、吸引具５０のみの接続であってもよいし、吸引器６０のみの接続であってもよい。
【００６９】
胃管カテーテル３０の後端部３０ｂに備えたカテーテルアダプター３３とコネクタ１の主管２の先端部３を接続する。これにより、胃管カテーテル３０とコネクタ１がカテーテルアダプター３３を介して接続される。そして、後端部３５ｂに排液バッグ７０を接続した排液チューブ３５の先端部３５ａとコネクタ１の主管２の後端部９を接続する。
【００７０】
ここで、胃管カテーテル３０からの排液等の進入、排出を止めるための鉗子９１を胃管カテーテル３０の途中に備えるが、上記接続の際は、この胃管カテーテル３０に備えた鉗子９１を閉じることによって胃管カテーテル３０を閉塞するのが望ましい。
【００７１】
吸引器６０を使用する場合、既述のとおり、吸引器６０の吸引口６２に吸引チューブ４０の一端部４０ａを接続し、吸引チューブ４０の他端部４０ｂをコネクタ１の第二分岐管２０に接続する。なお、その際、吸引ポンプコネクタ（不図示）を介してもよい。具体的には、吸引ポンプコネクタの一方側に吸引チューブ４０の他端部４０ｂを接続し、吸引ポンプコネクタの他方側にコネクタ１の第二分岐管２０を接続してもよい。
【００７２】
以上により、胃管カテーテル３０、カテーテルアダプター３３、コネクタ１、吸引チューブ４０、吸引器６０、排液チューブ３５、排液バッグ７０が連結されることにより、一連のドレナージ装置となる。なお、図２、図５等では、胃管カテーテル３０の後端部３０ｂにカテーテルアダプター３３を接続しているが、このカテーテルアダプター３３の形状、構成等は問わない。また、胃管カテーテル３０とコネクタ１を接続することができれば、カテーテルアダプター３３を介さなくてもよい。
【００７３】
図６で示すステップ３は、吸引具５０を使用して患者Ｐに薬剤や栄養剤等を注入するするステップである。
【００７４】
まず、コネクタ１の第一分岐管１０の接続口１４に吸引具５０を装着する。そして、患者Ｐの胃腔内に洗浄剤や薬液等を注入するため、胃管カテーテル３０に備えた鉗子９１は閉じず、胃管カテーテル３０が開放した状態で吸引具５０の中の洗浄剤や薬液等を押し出して注入する。この洗浄剤や薬液等は、第一分岐管１０からニップル部５、先端部３を通り、カテーテルアダプター３３、胃管カテーテル３０を通って、患者Ｐの胃腔内へ到達する。
【００７５】
その後、患者Ｐの胃腔内に注入した洗浄剤で洗浄が行われる。または、胃腔内に注入した薬液が胃腔内で拡散、吸収される。
【００７６】
なお、吸引具５０を使用して患者Ｐの胃腔内に洗浄剤や薬液等を注入する必要がない場合は、このステップ３は割愛することができる。
【００７７】
図７で示すステップ４は、吸引具５０又は吸引器６０を使用して患者Ｐの排液等を吸引するステップである。
【００７８】
吸引具５０の場合、胃洗浄後の胃腔内に溜まった排液を吸引具５０で吸引する。すなわち、クランプ９２を閉じることによって排液チューブ３５を閉塞した状態で、吸引具５０で排液を吸引する。排液は、胃管カテーテル３０、カテーテルアダプター３３、先端部３、ニップル部５、第一分岐管１０を通って吸引具５０へ到達するため、吸引具５０に排液が溜った状態となる。
【００７９】
この時、排液チューブ３５に備えたクランプ９２は閉じているため、排液が排液バッグ７０に流れることはない。
【００８０】
図は割愛するが、吸引器６０の場合は、第一分岐管１０の接続口１４を閉塞具で閉塞し、そして、胃管カテーテル３０に備えた鉗子９１は閉じず、胃管カテーテル３０が開放した状態で、かつ、クランプ９２を閉じることによって排液チューブ３５を閉塞した状態で吸引器６０の電源スイッチを入れることによって患者の胃腔内の排液の吸引が開始され、不図示の吸引ボトル等に排液が溜る。
【００８１】
図８で示すステップ５は、吸引具５０に溜った患者Ｐからの排液を排液バッグ７０に注入するステップである。
【００８２】
排液が患者Ｐの胃腔内に逆流することを防止するため、胃管カテーテル３０に備えた鉗子９１を閉じることによって胃管カテーテル３０を閉塞する。また、排液を排液バッグ７０に流すため、排液チューブ３５に備えたクランプ９２を開くことによって排液チューブ３５を開放した状態とする。
【００８３】
押子５７を押すことによって吸引具５０に溜まった排液を押し出す。そしてこの排液は、主に第一分岐管１０、主管２、排液チューブ３５を通って排液バッグ７０へ到達する。
【００８４】
そして、患者Ｐからの排液が溜った排液バッグ７０を処理する。または、吸引ボトル等に溜った患者Ｐからの排液を処理する。これにより一連のステップが終了する。
【００８５】
本発明によれば、患者から胃管カテーテル３０を外すことなく薬剤や洗浄剤等の注入や排液の吸引が可能であるが、患者Ｐの胃腔内の排液を複数の吸引のうちいずれか一を選択して吸引する場合、コネクタ１から胃管カテーテル３０や各チューブを外すことなく吸引することができる。したがって、吸引具で吸引する際もコネクタ１から吸引チューブ４０を外すことなく作業することができるため、吸引チューブ４０を外すことによる吸引チューブ４０からの漏れによる周辺の汚染や感染予防ができる。また、洗浄剤を吸引具で注入し、洗浄後の排液を吸引器で吸引することができる。
【００８６】
以上、各実施形態に基づき本発明を説明したが、本発明は上記実施形態に限定されるものではなく、本発明の趣旨を逸脱しない範囲で、変更を加えてもよいし、各実施形態に記載の技術、又は、その他の公知や周知の技術を組み合わせるようにしてもよい。
【００８７】
本発明の効果を奏するのであれば、実施形態に記載した数値等には拘泥されない。したがって、コネクタ１自体のサイズ、具体的には、主管２、第一分岐管１０、第二分岐管２０の長さ、内径、外径等は適宜選択することができる。また、胃管カテーテル３０、排液チューブ３５、吸引チューブ４０自体の内径、外径等は適宜選択することができる。したがって、各カテーテルと各管等の接続に関しても、内径、外径適宜選択することによって接続することができる。換言すれば、各カテーテルと各管の雄、雌は、適宜係脱することができれば、どちらが雄でも雌でも問わない。
【００８８】
主管２や第一分岐管１０の長さも適宜選択することができる。例えば、主管２の長手方向の長さと、第一分岐管１０の長手方向の長さとの比を１対０．４から０．６程度としてもよい。また、主管２の長さと第一分岐管１０の長さを同程度としたり、主管２よりも第一分岐管１０を長くしてもよい。したがって、長さの比を１対１から１．２程度としてもよい。このように、第一分岐管１０を長くすることにより、吸引具を使用する際に安定して保持することができる。
【００８９】
また、上記実施形態は、主に胃腔に関して説明したが、その他の体腔、具体的には、肺、心臓等の胸腔や小腸、大腸、肝臓、膵臓等の腹腔や、体内の器官（尿道、膀胱、尿管）に挿入する例であってもよい。
【００９０】
同様の効果を奏することができれば、クランプ９２の代わりに鉗子９１等を使用してもよい。
【００９１】
看護師等の作業者が作業する際にコネクタ１の挟持する部位、例えば本体部８、第一分岐管１０、第二分岐管２０等に窪み部（不図示）を備えることもできる。窪み部を挟持することにより看護師等が各カテーテル等を接続する作業の際、安定して作業することができる。また、さらにこの窪み部に点や線等で凹凸を備えた構成とすることによって、滑り難くなり、さらに安定して挟持できる。
【００９２】
コネクタ１と各カテーテルとの接続や、排液チューブ３５と排液バッグ７０との接続に関しては、接続端部に収縮性を有する補強チューブを被冠してもよい。
【００９３】
胃管カテーテル３０とコネクタ１との接続に関しては、コネクタ１のニップル部５に胃管カテーテル３０の後端部３０ｂが被冠されてもよく、被冠されていなくてもよい。
【符号の説明】
【００９４】
１：コネクタ
１ａ：先端
１ｂ：後端
２：主管
３：先端部
３ａ：接続口
５：ニップル部
５ａ：突起部
５ｂ：空隙
８：本体部
９：後端部
９ａ：接続口
１０：第一分岐管
１０ａ：自由端部
１０ｂ：基端部
１１：膨出部
１２：外ネジ山
１３：フランジ
１４：接続口
１５：ネジ式キャップ
１６：スナップ式キャップ
１７：環状部
１８：連結具
２０：第二分岐管
２０ａ：自由端部
２０ｂ：基端部
２２：接続口
２５：ニップル部
２５ａ：突起部
３０：胃管カテーテル
３０ａ：先端部
３０ｂ：後端部
３１：先端開孔
３２：側孔
３３：カテーテルアダプター
３５：排液チューブ
３５ａ：先端部
３５ｂ：後端部
４０：吸引チューブ
４０ａ：一端部
４０ｂ：他端部
５０：吸引具
５２：外筒
５５：凸部
５７：押子
６０：吸引器
６２：吸引口
７０：排液バッグ
７１：排液バッグ本体
７２：保持具
７３：排液チューブ
７４：排液バルブ
９１：鉗子
９２：クランプ
Ａ：角度
Ｂ：角度
Ｐ：患者
【図１】
2020185200.tif 000003
【図２】
2020185200.tif 000004
【図３】
2020185200.tif 000005
【図４】
2020185200.tif 000006
【図５】
2020185200.tif 000007
【図６】
2020185200.tif 000008
【図７】
2020185200.tif 000009
【図８】
2020185200.tif 000010
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
患者の体内に挿入する胃管カテーテルと、後端部に排液バッグが取り付けられている排液チューブと、吸引器で排液を吸引するための吸引チューブと、流体を通す前記胃管カテーテル、前記排液チューブ及び前記吸引チューブの端部を接続するコネクタと、を備えたドレナージ装置であって、
前記コネクタは、主管、第一分岐管、第二分岐管と、からなり、
前記主管内、前記第一分岐管内、前記第二分岐管内にはそれぞれ流路が形成されており、かつ、これらの各流路が連通し、
前記第一分岐管及び前記第二分岐管が前記コネクタの前記主管から斜め方向に分岐し、
前記第一分岐管の自由端部及び前記第二分岐管の自由端部に着脱自在の閉塞具を備え、
前記胃管カテーテルの後端部と前記コネクタの先端部が接続され、
前記コネクタの後端部と前記排液チューブの先端部が接続され、
前記第二分岐管の自由端部と前記吸引チューブの他端部が接続されたことを特徴としたドレナージ装置。
【請求項２】
前記第一分岐管及び前記第二分岐管は、前記コネクタの前記主管の本体部の際に配置されたことを特徴とした、請求項１に記載のドレナージ装置。
【請求項３】
前記主管と前記第一分岐管及び前記第二分岐管との間の角度を２５度以上４５度以下としたことを特徴とした、請求項１又は請求項２に記載のドレナージ装置。
【請求項４】
前記第一分岐管の長手方向の長さと、前記第二分岐管の長手方向の長さとの比が、１対０．５から１までであることを特徴とした、請求項１乃至請求項３に記載のうちいずれか一に記載のドレナージ装置。
【請求項５】
前記第一分岐管の接続口の内径が前記主管の後端部の接続口の内径及び前記第二分岐管の接続口の内径よりも大きいことを特徴とした、請求項１乃至請求項４に記載のうちいずれか一に記載のドレナージ装置。
【請求項６】
前記第一分岐管の流路が自由端部から基端部に向かって収斂し、前記第二分岐管の流路が基端部から自由端部に向かって収斂することを特徴とした、請求項１乃至請求項５に記載のうちいずれか一に記載のドレナージ装置。
【請求項７】
前記主管には、円錐台状の突起部が大小複数個積層されたニップル部を備え、
前記突起部と前記突起部との間に一部空隙を設けることを特徴とした、請求項１乃至請求項６に記載のうちいずれか一に記載のドレナージ装置。
【手続補正３】
【補正対象書類名】明細書
【補正対象項目名】０００１
【補正方法】変更
【補正の内容】
【０００１】
本発明は、患者の体内に貯留した排液を体外に排出するドレナージ用のコネクタを用いたドレナージ装置に関する。
【手続補正４】
【補正対象書類名】明細書
【補正対象項目名】０００８
【補正方法】変更
【補正の内容】
【０００８】
請求項１の発明は、患者の体内に挿入する胃管カテーテルと、後端部に排液バッグが取り付けられている排液チューブと、吸引器で排液を吸引するための吸引チューブと、流体を通す胃管カテーテル、排液チューブ及び吸引チューブの端部を接続するコネクタと、を備えたドレナージ装置であって、コネクタは、主管、第一分岐管、第二分岐管と、からなり、主管内、第一分岐管内、第二分岐管内にはそれぞれ流路が形成されており、かつ、これらの各流路が連通し、第一分岐管及び第二分岐管がコネクタの主管から斜め方向に分岐し、第一分岐管の自由端部及び第二分岐管の自由端部に着脱自在の閉塞具を備え、胃管カテーテルの後端部とコネクタの先端部が接続され、コネクタの後端部と排液チューブの先端部が接続され、第二分岐管の自由端部と吸引チューブの他端部が接続されたことを特徴としたドレナージ装置である。
【手続補正５】
【補正対象書類名】明細書
【補正対象項目名】０００９
【補正方法】変更
【補正の内容】
【０００９】
請求項２の発明は、第一分岐管及び第二分岐管は、コネクタの主管の本体部の際に配置されたことを特徴とした、請求項１に記載のドレナージ装置である。
【手続補正６】
【補正対象書類名】明細書
【補正対象項目名】００１０
【補正方法】変更
【補正の内容】
【００１０】
請求項３の発明は、主管と第一分岐管及び第二分岐管との間の角度を２５度以上４５度以下としたことを特徴とした、請求項１又は請求項２に記載のドレナージ装置である。
【手続補正７】
【補正対象書類名】明細書
【補正対象項目名】００１１
【補正方法】変更
【補正の内容】
【００１１】
請求項４の発明は、第一分岐管の長手方向の長さと、第二分岐管の長手方向の長さとの比が、１対０．５から１までであることを特徴とした、請求項１乃至請求項３に記載のうちいずれか一に記載のドレナージ装置である。
【手続補正８】
【補正対象書類名】明細書
【補正対象項目名】００１２
【補正方法】変更
【補正の内容】
【００１２】
請求項５の発明は、第一分岐管の接続口の内径が主管の後端部の接続口の内径及び第二分岐管の接続口の内径よりも大きいことを特徴とした、請求項１乃至請求項４に記載のうちいずれか一に記載のドレナージ装置である。
【手続補正９】
【補正対象書類名】明細書
【補正対象項目名】００１３
【補正方法】変更
【補正の内容】
【００１３】
請求項６の発明は、第一分岐管の流路が自由端部から基端部に向かって収斂し、第二分岐管の流路が基端部から自由端部に向かって収斂することを特徴とした、請求項１乃至請求項５に記載のうちいずれか一に記載のドレナージ装置である。
【手続補正１０】
【補正対象書類名】明細書
【補正対象項目名】００１４
【補正方法】変更
【補正の内容】
【００１４】
請求項６の発明は、主管には、円錐台状の突起部が大小複数個積層されたニップル部を備え、突起部と突起部との間に一部空隙を設けることを特徴とした、請求項１乃至請求項６に記載のうちいずれか一に記載のドレナージ装置である。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】